【事件の表示】
　平成１０年特許願第３７６５８９号「映像音声デ―タ記録装置、映像音声デ―タ再生装置、映像音声デ―タ記録再生装置、映像音声デ―タ記録方法、映像音声デ―タ再生方法およびプログラム記録媒体」拒絶査定不服審判事件〔平成１２年　７月　４日出願公開、特開２０００−１８７９３９〕について、次のとおり審決する。
【結　論】
　本件審判の請求は、成り立たない。
【理　由】
１．手続の経緯
　本願は、平成１０年１２月２３日の出願であって、平成１５年１１月２６日付け拒絶理由通知に対して、平成１６年１月３０日付けで意見書及び手続補正書が提出されたが、平成１６年３月８日付けで拒絶査定がなされ、これに対し、平成１６年４月１２日に拒絶査定に対する審判請求がなされるとともに、同日付けで明細書について手続補正がなされたものである。
　
２．平成１６年４月１２日付けの手続補正についての補正却下の決定
　
　
［補正却下の決定の結論］
平成１６年４月１２日付けの手続補正（以下、「本件手続補正」という。）を却下する。
　
［理由］
（１）本件手続補正前及び本件手続補正の本願発明の概要
　本件手続補正は、特許請求の範囲及び発明の詳細な説明についてするもので、そのうち特許請求の範囲については、本件手続補正前は、
　
「【請求項１】　映像および／または音声データを記録する記録媒体と、
　前記記録媒体中の記録領域に対して映像および／または音声データの記録を行う記録領域記録手段と、
バスを介して接続された機器からの制御コマンドを受信するコマンド受信手段と、を備えた映像音声データ記録装置であって、
　前記コマンド受信手段によって、ＡＶ（Audio Visual）ファイルを生成するコマンドを受信したとき、前記記録媒体の記録領域とＡＶファイルとの対応情報を含むＡＶファイル管理テーブルを設定し、前記コマンドにより設定され、利用者が任意に設定可能なサイズのＡＶファイルを生成するＡＶファイル管理手段を有し、
　前記記録領域記録手段は、前記ＡＶファイル管理テーブルに基づき、前記記録領域に対して映像および／または音声データの記録を行うことを特徴とする映像音声データ記録装置。
【請求項２】　前記記録領域記録手段は、
　前記ＡＶファイル管理テーブルに基づき、前記ＡＶファイルに対応する記録領域に対して繰り返し上書きして映像および／または音声データの記録を行うことを特徴とする請求項１に記載の映像音声データ記録装置。
【請求項３】　前記コマンド受信手段は、
　前記ＡＶファイルに対する追加記録動作を行わせる追加記録命令コマンドを受信するものであり、
　前記記録領域記録手段は、
　前記追加記録命令コマンドを受けると、前記繰り返し上書きしている記録領域とは異なる記録領域に映像および／または音声データの記録を行うことを特徴とする請求項２に記載の映像音声データ記録装置。
【請求項４】　映像および／または音声データを記録する記録媒体と、
　前記記録媒体の記録領域に対して映像および／または音声データの記録を行う記録領域記録手段と、
　バスを介して接続された機器からの制御コマンドを受信するコマンド受信手段と、を備えた映像音声データ記録装置であって、
　前記コマンド受信手段によって、ＡＶファイルの最大サイズを規定する最大サイズ設定コマンドを受信したとき、ＡＶファイル管理テーブルに前記最大サイズを設定するＡＶファイル最大サイズ設定手段と
　前記ＡＶファイル管理テーブル内の少なくともＡＶファイル最大サイズに基づき前記ＡＶファイルを管理するＡＶファイル管理手段とを有し、
　前記記録領域記録手段は、前記ＡＶファイル管理テーブルに基づき、前記記録領域に対して映像および／または音声データの記録を行うことを特徴とする映像音声データ記録装置。
【請求項５】　前記記録領域記録手段は、
　前記ＡＶファイル管理テーブル内のＡＶファイル最大サイズに基づき、前記ＡＶファイルに対応する記録領域に対して繰り返し上書きして映像および／または音声データの記録を行うことを特徴とする請求項４に記載の映像音声データ記録装置。
【請求項６】　前記ＡＶファイル最大サイズ設定手段は、
　記録動作中に、前記コマンド受信手段によって、新たに最大サイズ設定コマンドを受信したとき、ＡＶファイル管理テーブルに最大サイズを再設定するものであり、
　前記記録領域記録手段は、前記再設定されたＡＶファイル管理テーブルに基づいて動作を切り替えて、前記記録領域に対して映像および／または音声データの記録を行うことを特徴とする請求項５に記載の映像音声データ記録装置。
【請求項７】　最大サイズが設定された前記ＡＶファイルのファイルサイズは、前記設定された最大サイズを上限として可変であり、実際にデータが記録されている領域のサイズであることを特徴とする請求項４ないし６のいずれかに記載の映像音声データ記録装置。
【請求項８】　映像および／または音声データを記録する記録媒体と、
　前記記録媒体の記録領域とＡＶファイルとの対応情報を含むＡＶファイル管理テーブルを管理するＡＶファイル管理手段と、
　バスを介して接続された機器からの制御コマンドを受信するコマンド受信手段と、前記制御コマンドを受けて、請求項１ないし７のいずれかに記載の映像音声データ記録装置に記録された映像および／または音声データを再生する再生手段とを備えた映像音声データ再生装置であって、
　前記コマンド受信手段は、ＡＶファイルのデータを対象とした再生動作を行わせる再生命令コマンドを受信するものであり、
　前記再生手段は、前記再生命令コマンドを受けると、前記ＡＶファイル管理テーブルに基づき、前記記録領域から映像および／または音声データの再生を行うことを特徴とする映像音声データ再生装置。
【請求項９】　前記再生手段は、
　前記記録領域に、映像および／または音声データが記録されていない領域である無記録領域があるときは、該記録領域のデータ分に相当する量の代替データを再生することを特徴とする請求項８に記載の映像音声データ再生装置。
【請求項１０】　前記再生手段は、
　前記記録領域に、映像および／または音声データが記録されていない領域である無記録領域があるときは、前記記録領域からの映像および／または音声データの再生を停止することを特徴とする請求項８に記載の映像音声データ再生装置。
【請求項１１】　前記再生手段は、
　前記記録領域に記録されたデータを、記録順序が古いものより順に再生することを特徴とする請求項８ないし１０のいずれかに記載の映像音声データ再生装置。
【請求項１２】　請求項１ないし７のいずれかに記載の映像音声データ記録装置と、請求項８ないし１１のいずれかに記載の映像音声データ再生装置とを組み合わせてなることを特徴とする映像音声データ記録再生装置。
【請求項１３】　映像および／または音声データを記録する記録媒体と、
　前記記録媒体中の記録領域に対して映像および／または音声データの記録を行う記録領域記録手段と、
　バスを介して接続された機器からの制御コマンドを受信するコマンド受信手段と、を用いた映像音声データ記録方法であって、
　前記コマンド受信手段によって、ＡＶ（Audio Visual）ファイルを生成するコマンドを受信したとき、前記記録媒体の記録領域とＡＶファイルとの対応情報を含むＡＶファイル管理テーブルを設定し、前記コマンドにより設定され、利用者が任意に設定可能なサイズのＡＶファイルを生成するＡＶファイル管理手段と、前記記録領域記録手段とを用いて、前記ＡＶファイル管理テーブルに基づき、前記記録領域に対して映像および／または音声データの記録を行うステップを含むことを特徴とする映像音声データ記録方法。
【請求項１４】　映像および／または音声データを記録する記録媒体と、
　前記記録媒体の記録領域とＡＶファイルとの対応情報を含むＡＶファイル管理テーブルを管理するＡＶファイル管理手段と、
　バスを介して接続された機器からの制御コマンドを受信するコマンド受信手段と、前記制御コマンドを受けて、請求項１３に記載の映像音声データ記録方法により記録された映像および／または音声データを再生する再生手段とを用いた映像音声データ再生方法であって、
　前記コマンド受信手段を用いて、ＡＶファイルのデータを対象とした再生動作を行わせる再生命令コマンドを受信するステップと、
　前記再生手段を用いて、前記再生命令コマンドを受けると、前記ＡＶファイル管理テーブルに基づき、前記記録領域から映像および／または音声データの再生を行うステップを含むことを特徴とする映像音声データ再生方法。
【請求項１５】　請求項１ないし７のいずれかに記載の映像音声データ記録装置の前記コマンド受信手段および前記ＡＶファイル管理手段の機能をコンピュータに実行させるためのプログラムを記録したことを特徴とするプログラム記録媒体。
【請求項１６】　請求項８ないし１０のいずれかに記載の映像音声データ再生装置の前記コマンド受信手段および前記ＡＶファイル管理手段の機能をコンピュータに実行させるためのプログラムを記載したことを特徴とするプログラム記録媒体。
【請求項１７】　請求項１３に記載の映像音声データ記録方法の、前記コマンド受信手段および前記ＡＶファイル管理手段の動作をコンピュータに実行させるためのプログラムを記録したことを特徴とするプログラム記録媒体。
【請求項１８】　請求項１４に記載の映像音声データ再生方法の、前記コマンド受信手段および前記ＡＶファイル管理手段の動作をコンピュータに実行させるためのプログラムを記載したことを特徴とするプログラム記録媒体。」
　
とあったものを、
　
「【請求項１】　映像および／または音声データを記録する記録媒体と、
　前記記録媒体中の記録領域に対して映像および／または音声データの記録を行う記録領域記録手段と、
　バスを介して接続された機器からの制御コマンドを受信するコマンド受信手段と、を備えた映像音声データ記録装置であって、
　前記コマンド受信手段によって、ＡＶ（Audio Visual）ファイルを生成するコマンドを受信したとき、前記記録媒体の記録領域とＡＶファイルとの対応情報を含むＡＶファイル管理テーブルを設定し、前記コマンドにより設定され、利用者が任意に設定可能なサイズのＡＶファイルを生成するＡＶファイル管理手段を有し、
　前期記録領域記録手段は、前記ＡＶファイル管理テーブルに基づき、前記記録領域に対して繰り返し上書きして映像および／または音声データの記録を行い、
　前記ＡＶファイル管理手段は、繰り返し上書きを行なった前記記録領域上のデータ配置情報をＡＶファイル管理テーブルに記憶することを特徴とする映像音声データ記録装置。
【請求項２】　前記コマンド受信手段は、
　前記ＡＶファイルに対する追加記録動作を行わせる追加記録命令コマンドを受信するものであり、
　前記記録領域記録手段は、
　前記追加記録命令コマンドを受けると、前記繰り返し上書きしている記録領域とは異なる記録領域に映像および／または音声データの記録を行うことを特徴とする請求項１に記載の映像音声データ記録装置。
【請求項３】　映像および／または音声データを記録する記録媒体と、
　前記記録媒体の記録領域とＡＶファイルとの対応情報を含むＡＶファイル管理テーブルを管理するＡＶファイル管理手段と、
　バスを介して接続された機器からの制御コマンドを受信するコマンド受信手段と、
　前記制御コマンドを受けて、請求項１または２のいずれかに記載の映像音声データ記録装置に記録された映像および／または音声データを再生する再生手段とを備えた映像音声データ再生装置であって、
　前記コマンド受信手段は、ＡＶファイルのデータを対象とした再生動作を行わせる再生命令コマンドを受信するものであり、
　前記再生手段は、前記再生命令コマンドを受けると、前記ＡＶファイル管理テーブルに基づき、前記記録領域から映像および／または音声データの再生を行うことを特徴とする映像音声データ再生装置。
【請求項４】　前記再生手段は、
　前記記録領域に、映像および／または音声データが記録されていない領域である無記録領域があるときは、該記録領域のデータ分に相当する量の代替データを再生することを特徴とする請求項３に記載の映像音声データ再生装置。
【請求項５】　前記再生手段は、
　前記記録領域に、映像および／または音声データが記録されていない領域である無記録領域があるときは、前記記録領域からの映像および／または音声データの再生を停止することを特徴とする請求項３に記載の映像音声データ再生装置。
【請求項６】　前記再生手段は、
　前記記録領域に記録されたデータを、記録順序が古いものより順に再生することを特徴とする請求項３ないし５のいずれかに記載の映像音声データ再生装置。
【請求項７】　請求項１または２のいずれかに記載の映像音声データ記録装置と、請求項３ないし６のいずれかに記載の映像音声データ再生装置とを組み合わせてなることを特徴とする映像音声データ記録再生装置。
【請求項８】　映像および／または音声データを記録する記録媒体と、
　前記記録媒体中の記録領域に対して映像および／または音声データの記録を行う記録領域記録手段と、
　バスを介して接続された機器からの制御コマンドを受信するコマンド受信手段と、を用いた映像音声データ記録方法であって、
　前記コマンド受信手段によって、ＡＶ（Audio Visual）ファイルを生成するコマンドを受信したとき、前記記録媒体の記録領域とＡＶファイルとの対応情報を含むＡＶファイル管理テーブルを設定し、前記コマンドにより設定され、利用者が任意に設定可能なサイズのＡＶファイルを生成するＡＶファイル管理手段と、前記記録領域記録手段とを用いて、前記ＡＶファイル管理テーブルに基づき、前記記録領域に対して繰り返し上書きして映像および／または音声データの記録を行い、繰り返し上書きを行なった前記記録領域上のデータ配置情報をＡＶファイル管理テーブルに記憶するステップとを含むことを特徴とする映像音声データ記録方法。
【請求項９】　映像および／または音声データを記録する記録媒体と、
　前記記録媒体の記録領域とＡＶファイルとの対応情報を含むＡＶファイル管理テーブルを管理するＡＶファイル管理手段と、
　バスを介して接続された機器からの制御コマンドを受信するコマンド受信手段と、前記制御コマンドを受けて、請求項８に記載の映像音声データ記録方法により記録された映像および／または音声データを再生する再生手段とを用いた映像音声データ再生方法であって、
　前記コマンド受信手段を用いて、ＡＶファイルのデータを対象とした再生動作を行わせる再生命令コマンドを受信するステップと、
　前記再生手段を用いて、前記再生命令コマンドを受けると、前記ＡＶファイル管理テーブルに基づき、前記記録領域から映像および／または音声データの再生を行うステップを含むことを特徴とする映像音声データ再生方法。
【請求項１０】　請求項１または２のいずれかに記載の映像音声データ記録装置の前記コマンド受信手段および前記ＡＶファイル管理手段の機能をコンピュータに実行させるためのプログラムを記録したことを特徴とするプログラム記録媒体。
【請求項１１】　請求項３ないし６のいずれかに記載の映像音声データ再生装置の前記コマンド受信手段および前記ＡＶファイル管理手段の機能をコンピュータに実行させるためのプログラムを記載したことを特徴とするプログラム記録媒体。
【請求項１２】　請求項８に記載の映像音声データ記録方法の、前記コマンド受信手段および前記ＡＶファイル管理手段の動作をコンピュータに実行させるためのプログラムを記録したことを特徴とするプログラム記録媒体。
【請求項１３】　請求項９に記載の映像音声データ再生方法の、前記コマンド受信手段および前記ＡＶファイル管理手段の動作をコンピュータに実行させるためのプログラムを記載したことを特徴とするプログラム記録媒体。」
　
と補正しようとするものである。
　
　両者を比較すると、本件手続補正の請求項１は、本件手続補正前の請求項１における「記録領域記録手段」が記録領域に対して「繰り返し上書き」する点、および「ＡＶファイル管理手段」が「繰り返し上書きを行なった前記記録領域上のデータ配置情報をＡＶファイル管理テーブルに記憶する」点で限定するものである。
　
　同様に、本件手続補正の請求項８は、本件手続補正前の請求項１３における「ＡＶファイル管理手段と、前記記録領域記録手段とを用いて」記録を行う「ステップ」を、「繰り返し上書き」する点、及び「繰り返し上書きを行なった前記記録領域上のデータ配置情報をＡＶファイル管理テーブルに記憶する」点で限定するものである。
　　
　また、本件手続補正の請求項２〜７、９〜１３については、引用する請求項の変更のみで、それぞれ本件手続補正前の請求項３、８〜１２、１４〜１８に相当するものであり、そして、本件手続補正の前請求項２、４〜７は削除されたものであるから、本件手続補正後の請求項１乃至１３についての補正は、特許法第１７条の２第４項第２号に規定する、特許請求の範囲の減縮を目的とするものである。
　
　そこで、本件手続補正における特許請求の範囲に記載されている事項により特定される発明が、特許出願の際独立して特許を受けることができるものであるか（平成１５年改正前特許法第１７条の２第５項において準用する同法１２６条第４項の規定に適合するか）否かを、本件手続補正後の請求項１に係る発明（以下、「本願補正発明」という」。）について以下に検討する。
　
　
（２）引用例
１）第１引用例
 　原査定の拒絶の理由において引用された、本願出願前に頒布された刊行物である特開平９−１６８１３０号公報（以下、「第１引用例」という。）には、図面とともに次の技術事項が記載されている。
　
（ａ）
「【００４５】図３は、第２の実施形態における本発明に係る音声・映像データ記録・再生装置３の構成を示す図である。但し、図３はｎ＝４の場合の音声・映像データ記録・再生装置３を例示する。また、図３以下の各図においては、図１および図２に示した各構成部分と同一の構成部分には同一の符号を付してある。
【００４６】音声・映像データ記録・再生装置３は、音声・映像データ処理システム１において音声・映像データ記録・再生装置２（図１および図２）の代わりに用いられる装置であって、ｎ個の入出力制御装置３８1 〜３８n が、メインＣＰＵバス３２を介して管理データ記録装置３６を有するデータ管理装置３４にバス接続され、また、データバス３０を介して記録・再生装置２４にバス接続されて構成されている。
【００４７】音声・映像データ記録・再生装置３は、これらの構成部分により、音声・映像機器４1 〜４n それぞれから入力される入出力制御信号に従って、記録・再生装置２４の記録媒体に音声・映像機器４1 〜４n それぞれから入力された音声・映像データを記録し、音声・映像機器４1 〜４n それぞれからの要求に応じて記録した音声・映像データを再生し、音声・映像機器４1 〜４n それぞれに供給する。」
　
（ｂ）
「【００４８】図４は、図３に示したデータ管理装置３４の構成を示す図である。図４に示すように、データ管理装置３４は、マイクロプロセッサ（ＣＰＵ）３４０、ＲＯＭ３４２、ＲＡＭ３４４およびＳＣＳＩインターフェース（ＳＣＳＩＩＦ）３４８が、メインＣＰＵバス３２を介してバス接続されて構成され、ＳＣＳＩＩＦ３４８には、例えばハードディスク装置等の管理データ記録装置３６が接続される。
【００４９】データ管理装置３４において、マイクロプロセッサ３４０、ＲＯＭ３４２およびＲＡＭ３４４は、ＲＯＭ３４２に記憶されているプログラムを実行するコンピュータとして動作し、記録・再生装置２４の記録媒体の記録領域を管理し、記録・再生装置２４の占有記録領域および空き記録領域を生成してＲＡＭ３４４に記憶し、さらに、管理データ記録装置３６に記録する。また、データ管理装置３４は、入出力制御装置３８1 〜３８n それぞれからの要求に従って、記録のために音声・映像機器４1 〜４n から入力された音声・映像データに記録領域を割り当て、再生を要求された音声・映像データの占有記録領域を入出力制御装置３８1〜３８n それぞれに通知する。」
　
（ｃ）
「【００５０】図５は、図３に示した記録・再生装置２４の記録媒体の記録領域に記録されている音声・映像データＡ，Ｂの占有記録領域、データ管理装置３４が生成するび音声・映像データＡ，Ｂの占有記録領域データ（ファイルエントリとエコードエントリ）、および、空き記録領域データ（フリースペースリスト）を例示する図である。図６は、図３に示したデータ管理装置３４が生成する記録領域データの内容を例示する図である。例えば、図５（Ａ）に示すように、ハードディスクアレイ装置２４の記録媒体には音声・映像データＡ，Ｂが記録されており、音声・映像データＡは記録媒体の先頭から８０ブロック〜１２９ブロックおよび２３０ブロック〜３２９ブロック（１ブロックは例えば１ギガバイト（ＧＢ））に記録され、音声・映像データＢは記録媒体の先頭から１７０ブロック〜２２９ブロックに記録され、他の記録領域は空き記録領域になっている。」
　
（ｄ）
「【００５２】このように、１つの音声・映像データが複数の記録領域に分割されて記録される場合があるので、データ管理装置３４は、音声・映像データＡ，Ｂそれぞれの占有記録領域データを、図５（Ｂ），（Ｃ）に示すリンクト・リスト(linked list) の形式のファイルエントリおよびレコードエントリとして作成する。また、データ管理装置３４は、音声・映像データＡ，Ｂそれぞれについて、図６（Ａ）に示すように、ファイル名、および、最初のレコードエントリを示すリンクデータ（ファイルエントリ）をＲＡＭ３４４に記憶する。」
　
（ｅ）
「【００５４】レコードエントリそれぞれは、図６（Ｂ）に示すように、次のレコードエントリを示すリンクデータ、記録領域の先頭位置を示す先頭位置データ、および、記録領域の長さを示す記録長データから構成される。なお、リンクデータが終了値(END) である場合には、次のレコードエントリが存在せず、そのレコードエントリが示す記録領域には音声・映像データの最後の部分が記録されている。
【００５５】また、データ管理装置３４は、ハードディスクアレイ装置２４の空き記録領域（フリースペース）を示す空き記録領域データを、図５（Ｄ）に示すように、リンクト・リストの形式のリスト（フリースペースリスト）として生成する。フリースペースリストは、図６（Ｃ）に示すように、次の空き記録領域のリンクデータ、空き記録領域の先頭位置を示す先頭位置データ、および、空き記録領域の長さを示す記録長データから構成される。
【００５６】なお、データ管理装置３４のマイクロプロセッサ３４０は、上記各データを更新するたびに、更新したデータをＳＣＳＩＩＦ３４８を介して管理データ記録装置３６に記録する。音声・映像データ記録・再生装置３の立ち上げ時には、データ管理装置３４は、管理データ記録装置３６に記録された上記各データを管理データ記録装置３６から再生し、再生した上記各データ、および、立ち上げ後に音声・映像機器４1 〜４n から入力される入出力制御信号等に基づいて上記各データを更新する。」
　
（ｆ）
「【００５７】図７は、図３に示した入出力制御装置３８1 〜３８n それぞれの構成を示す図である。図７に示すように、入出力制御装置３８i は、マイクロプロセッサ（ＣＰＵ）３８０、ＲＯＭ３８２、ＲＡＭ３８４、制御データＩＦ２１０（制御データＩＦ２１０1 〜２１０n （図２）に同じ）およびアドレス発生回路３９４が、入出力制御装置３８i において閉じたローカルＣＰＵバス３８８を介してバス接続され、デュアルポートＲＡＭ３９０がメインＣＰＵバス３２（図３）とローカルＣＰＵバス３８８とを接続し、記録再生装置制御インターフェース（記録・再生装置ＩＦ）３９２がローカルＣＰＵバス３８８とデータバス３０とを接続し、データバス３０にバッファメモリ２２２（バッファメモリ２２２1 〜２２２n に対応する）および音声・映像データＩＦ２２０（音声・映像データＩＦ２２０1 〜２２０n に同じ）が接続されて構成されている。入出力制御装置３８1 〜３８n の音声・映像データＩＦ２２０には、それぞれ音声・映像機器４i （図１）が接続される。
【００５８】入出力制御装置３８i は、これらの構成部分により、記録時には、音声・映像機器４i からのファイル名およびデータ長等のデータを含む入出力制御信号に従い、データ管理装置３４にアクセスし、記録・再生装置２４から記録を要求された音声・映像データを記録する記録領域の割り当てを受け、割り当てられた記録領域を記録・再生装置２４に指定し、指定した記録領域に、ＳＣＳＩ等の所定のプロトコルに従って入力されてくる音声・映像データを記録する。」
　
（ｇ）
「【００６４】音声・映像機器４i が音声・映像データ記録・再生装置３に音声・映像データの記録を要求する場合の入出力制御装置３８i の動作を以下に説明する。音声・映像機器４i は、入出力制御装置３８i の制御データＩＦ２１０に対して、記録を要求する音声・映像データのファイル名およびデータ長を含み、音声・映像データの記録を要求する入出力制御信号を出力する。この入出力制御信号は制御データＩＦ２１０からマイクロプロセッサ３８０に入力され、マイクロプロセッサ３８０は、デュアルポートＲＡＭ３９０を介してデータ管理装置３４に記録領域の割り当てを要求する。データ管理装置３４は、空き記録領域および音声・映像データのデータ長に基づいて、記録領域を割り当て、デュアルポートＲＡＭ３９０を介してマイクロプロセッサ３８０に通知する。
【００６５】記録領域割り当ての通知を受けたマイクロプロセッサ３８０は、データバス３０および記録・再生装置ＩＦ３９２を介して記録・再生装置２４に記録領域を指定する。音声・映像機器４i から音声・映像データＩＦ２２０に対して音声・映像データが入力されると、マイクロプロセッサ３８０は、音声・映像機器４i との間でプロトコル制御を行う。また、マイクロプロセッサ３８０は、アドレス発生回路３９４を制御してバッファメモリ２２２のバッファリング動作を制御し、記録・再生装置２４との間のプロトコル制御を行う。さらに、マイクロプロセッサ３８０は、音声・映像機器４i から入力された音声・映像データを、データバス３０を介して記録・再生装置２４に対して出力させ、音声・映像データを記録・再生装置２４に指定した記録させる。」
　
（ｈ）
「【００７３】次に、音声・映像データ処理システム１において音声・映像データ記録・再生装置３が、音声・映像機器４i から再生を要求された音声・映像データを記録・再生装置２４に記録する動作を説明する。図１０は、第２の実施形態において、音声・映像データ記録・再生装置３が、図１に示した音声・映像機器４i から入力された音声・映像データを、図３に示した記録・再生装置２４に記録する場合の処理を示すフローチャートである。図１１は、第２の実施形態において、音声・映像データ記録・再生装置３が、図１に示した音声・映像機器４i から入力された音声・映像データを、図３に示した記録・再生装置２４に記録する場合の、音声・映像機器４i 、入出力制御装置３８i 、データ管理装置３４および記録・再生装置２４の間の信号シーケンス図である。
【００７４】図１０および図１１に示すように、ステップ２０２（ＳＴ２０２）において、音声・映像機器４i は、入出力制御装置３８i に対して、音声・映像データＢ（例えば図５（Ａ））を記録する準備を行わせるための、音声・映像データＢのファイル名ＦＩＬＥ＿Ｂおよびデータ長を含むＯＰＥＮ＿ＲＥＣコマンドを入出力制御信号として音声・映像データ記録・再生装置３対して出力する。音声・映像データ記録・再生装置３の入出力制御装置３８i は、このＯＰＥＮ＿ＲＥＣコマンドを受信する。
【００７５】ステップ２０４（ＳＴ２０４）において、入出力制御装置３８i は、ファイル名ＦＩＬＥ＿Ｂおよびデータ長を含み、データ管理装置３４に対して、音声・映像データＢを記録するための記録領域の割り当てを要求するＯＰＥＮ＿ＷＲＩＴＥコマンドを送信する。ステップ２０６（ＳＴ２０６）において、データ管理装置３４は、入出力制御装置３８i から入力されたＯＰＥＮ＿ＷＲＩＴＥコマンドに含まれるファイル名ＦＩＬＥ＿Ｂに基づいて、ファイルエントリ（図５（Ｂ），（Ｃ））を生成し、ＲＡＭ３４４に記憶し、管理データ記録装置３６に記録する。
【００７６】ステップ２０８（ＳＴ２０８）において、データ管理装置３４は、音声・映像データＢのデータ長およびフリースペースリスト（図５（Ｄ））に基づいて、音声・映像データＢを記録する記憶領域を確保し、レコードエントリ（ＲＥ；図５（Ｂ），（Ｃ））を生成する。ステップ２１０（ＳＴ２１０）において、データ管理装置３４は、エコードエントリおよびファイルエントリを入出力制御装置３８i に対して出力する。ステップ２１２（ＳＴ２１２）において、音声・映像機器４i は、音声・映像データ記録・再生装置３に対して音声・映像データの記録を開始させるＲＥＣコマンドを出力する。入出力制御装置３８i の制御データＩＦ２１０は、このＲＥＣコマンドを受信する。
【００７７】ステップ２１４（ＳＴ２１４）において、入出力制御装置３８i の音声・映像データＩＦ２２０は、音声・映像機器４i から入力された音声・映像データＢを、バッファメモリ２２２に書き込む（ライトする）。ステップ２１６（ＳＴ２１６）において、入出力制御装置３８i は、データ管理装置３４から受けたレコードエントリおよびファイルエントリに基づいて、音声・映像データＢを記録する記録・再生装置２４の記録媒体の記録領域を算出する。
【００７８】ステップ２１８（ＳＴ２１８）において、入出力制御装置３８i は、記録・再生装置ＩＦ３９２を介して記録・再生装置２４に音声・映像データＢを記録する記録領域を指定し、書き込みコマンドを入力して記録・再生装置２４を制御し、バッファメモリ２２２に記憶されている音声・映像データＢを指定した記録領域に記録させる。ステップ２２０（ＳＴ２２０）において、記録・再生装置２４は、入出力制御装置３８i から入力された音声・映像データＢを、記録媒体の指定された記録領域に記録する。」　
　　　
　上記第１引用例の記載事項及び図面を総合勘案すると、第１引用例には、結局、次の発明が記載されている。
　
「音声・映像機器４ｉ から入力された音声・映像データを記録する記録・再生装置２４の記録媒体と、
　記録領域を記録・再生装置２４に指定し、前記音声・映像データを記録する入出力制御装置３８ｉと、
　前記音声・映像機器４ｉ が接続され、音声・映像機器４ｉ からのファイル名およびデータ長等のデータを含むＯＰＥＮ＿ＷＲＩＴＥコマンド及びＲＥＣコマンドが入力される制御データＩＦ２１０と、を備えた音声・映像データ記録・再生装置３であって、
　前記制御データＩＦ２１０ から入力された前記ＯＰＥＮ＿ＷＲＩＴＥコマンドに含まれるファイル名に基づいて、ファイルエントリを生成し、ＲＡＭ３４４に記憶し、管理データ記録装置３６に記録し、また、前記音声・映像データのデータ長およびフリースペースリストに基づいて、音声・映像データを記録する記憶領域を確保し、レコードエントリを生成するデータ管理装置３４とを有し、
　前記入出力制御装置３８ｉ は、前記データ管理装置３４から受けた前記レコードエントリおよび前記ファイルエントリに基づいて、前記音声・映像データを記録する前記記録・再生装置２４の記録媒体の記録領域を算出し、記録・再生装置ＩＦ３９２を介して前記記録・再生装置２４に前記音声・映像データを記録する記録領域を指定し、前記音声・映像データを指定した記録領域に記録させる
　音声・映像データ記録・再生装置３」
　　
（３）対比
　本願補正発明を、第１引用例に記載された発明と比較する。
　
　第１引用例に記載された発明における「入出力制御装置３８ｉ」、及び「音声・映像データ記録・再生装置３」は、本願補正発明における「記録領域記録手段」、及び「映像音声データ記録装置」に相当する。　　
　　
　一般に、音声・映像機器と音声・映像データ記録・再生装置の接続はバスを介して行われることから、第１引用例に記載された発明における「前記音声・映像機器４ｉ が接続され、音声・映像機器４i からのファイル名およびデータ長等のデータを含むＯＰＥＮ＿ＷＲＩＴＥコマンド及びＲＥＣコマンドが入力される制御データＩＦ２１０」は、本願補正発明における「バスを介して接続された機器からの制御コマンドを受信するコマンド受信手段」に相当する。　
　
　第１引用例に記載された発明における「前記制御データＩＦ２１０ から入力された前記ＯＰＥＮ＿ＷＲＩＴＥコマンドに含まれるファイル名に基づいて、ファイルエントリを生成し、ＲＡＭ３４４に記憶し、管理データ記録装置３６に記録し、また、前記音声・映像データのデータ長およびフリースペースリストに基づいて、音声・映像データを記録する記憶領域を確保し、レコードエントリを生成するデータ管理装置３４」とは、「データ管理装置３４」が「ＯＰＥＮ＿ＷＲＩＴＥコマンド」に基づきファイル名と「レコードエントリ」の対応である「ファイルエントリ」、および記録媒体の記録領域を示す「レコードエントリ」を生成するものでり、また、「レコードエントリ」を構成する記録長データは「ＯＰＥＮ＿ＷＲＩＴＥコマンド」に含まれるデータ長に基づくことから、第１引用例に記載された発明における「ファイルエントリ」及び「レコードエントリ」は、本願補正発明における「ＡＶファイル管理テーブル」に相当し、さらに、第１引用例に記載された発明と本願補正発明とは「コマンド受信手段によって、ＡＶ（Audio Visual）ファイルを生成するコマンドを受信したとき、前記記録媒体の記録領域とＡＶファイルとの対応情報を含むＡＶファイル管理テーブルを設定し、前記コマンドにより設定されたサイズのＡＶファイルを生成するＡＶファイル管理手段」で共通する。
　
　第１引用例に記載された発明における「入出力制御装置３８i は、前記データ管理装置３４から受けた前記レコードエントリおよび前記ファイルエントリに基づいて、前記音声・映像データを記録する前記記録・再生装置２４の記録媒体の記録領域を算出し、記録・再生装置ＩＦ３９２を介して前記記録・再生装置２４に前記音声・映像データを記録する記録領域を指定し、前記音声・映像データを指定した記録領域に記録させる」とは、「入出力制御装置３８i 」がレコードエントリおよびファイルエントリに基づいて音声・映像データを指定された記録領域に記録するものであるから、第１引用例に記載された発明と本願補正発明とは「記録領域記録手段は、前記ＡＶファイル管理テーブルに基づき、前記記録領域に対して映像および／または音声データの記録を行う」点で共通する。　
　　　
　そうすると、本願補正発明と第１引用例に記載された発明とは次の点で一致する。
　
＜一致点＞
「映像および／または音声データを記録する記録媒体と、
　前記記録媒体中の記録領域に対して映像および／または音声データの記録を行う記録領域記録手段と、
　バスを介して接続された機器からの制御コマンドを受信するコマンド受信手段と、を備えた映像音声データ記録装置であって、
　前記コマンド受信手段によって、ＡＶ（Audio Visual）ファイルを生成するコマンドを受信したとき、前記記録媒体の記録領域とＡＶファイルとの対応情報を含むＡＶファイル管理テーブルを設定し、前記コマンドにより設定されたサイズのＡＶファイルを生成するＡＶファイル管理手段を有し、
　前記記録領域記録手段は、前記ＡＶファイル管理テーブルに基づき、前記記録領域に対して映像および／または音声データの記録を行う、
　映像音声データ記録装置。」
　
一方、次の点で相違する。
　
＜相違点１＞
　コマンドにより設定されるＡＶファイルのサイズが、本願補正発明では利用者が任意に設定可能であるのに対して、第１引用例に記載された発明ではこの点について特に言及されていない点。
　
＜相違点２＞
　記録領域記録手段による映像および／または音声データの記録が、本願補正発明では繰り返し上書きであるのに対して、第１引用例に記載された発明ではこの点について特に言及されていない点。
　
＜相違点３＞
　ＡＶファイル管理手段が、本願補正発明では繰り返し上書きを行なった記録領域上のデータ配置情報をＡＶファイル管理テーブルに記憶するのに対して、第１引用例に記載された発明ではこの点について特に言及されていない点。
　
　
（４）判断
　上記相違点について検討する。
１）相違点１、及び相違点２について
  繰り返し上書き記録が可能な映像音声データ記録装置、および、該映像音声データ記録装置において、繰り返し上書き記録のモードの設定時にユーザーが上書き記録をおこなう記録領域のサイズを任意に設定可能とすることは周知の技術（例えば、拒絶理由で引用された特開平９−２５９５７８号公報（以下、「周知例１」という。特に【特許請求の範囲】の記載。）、特開平７−３０３２３３号公報（特に、段落【００２７】）、特開平１−１１９９６４号公報（特に、公報第３頁右上欄第１６行〜同右下欄第５行）を参照）である。また、制御コマンドは映像音声データ記録装置に設定されるモードに応じて当業者が適宜設定可能なものであり、外部から制御コマンドを用いてモードの設定を行う際、装置に対して直接制御コマンドを介してパラメータの設定を行えるようにすることはごく当然ないし普通のことであるから、第１引用例に記載された発明における映像音声データ記録装置を繰り返し上書き記録が可能な装置として、コマンドを用いて繰り返し上書き記録を指示するに際して利用者がサイズの設定を行い、記録領域記録手段が記録領域に対して繰り返し上書きを行うことは当業者が容易に想到し得たものである。
　
２）相違点３について
　繰り返し上書き記録を行う装置において、繰り返し上書き記録された情報が時間順に再生が可能なように、繰り返し上書きを行なった記録領域上のデータ配置情報を記憶することも周知の技術（例えば、周知例１を参照）に過ぎず、また、第１引用例に記載された発明おいては「ＡＶファイル管理手段」が記録媒体の記録領域上のデータの配置に関する制御を行うものと認められることから、第１引用例に記載された発明おいても繰り返し上書き記録を行う際に、ＡＶファイル管理手段が繰り返し上書きを行なった記録領域上のデータ配置情報をＡＶファイル管理テーブルに記憶するようにすることは当業者が容易に想到し得たものである。
　 
　以上の検討を総合すると、本願補正発明は、第１引用例に記載された発明、及び周知の技術に基づいて、当業者が容易に発明をすることができたものである。
　　
（５）本件手続補正についての結び
　以上のとおり、本願補正発明は、特許法第２９条第２項の規定により特許出願の際独立して特許を受けることができないものであるから、本件手続補正は、平成１５年改正前特許法第１７条の２第５項において準用する同法１２６条第４項に規定する要件を満たさないものであり、特許法第１５９条第１項の規定において読み替えて準用する同法第５３条第１項の規定により却下すべきものである。
　
　
２．本願発明について
（１）本願発明
　平成１６年４月１２日付けの手続補正は上記のとおり却下されたので、本願の請求項１乃至１８に係る発明は、平成１６年１月３０日付け手続補正による補正された明細書の特許請求の範囲の請求項１乃至１８に記載されたとおりのものであるところ、請求項１に係る発明（以下、「本願発明」という）は、上記「２．［理由］」の項の「（１）本件手続補正前及び本件手続補正後の本願発明」に、本件手続補正前の特許請求の範囲の請求項１として掲
げたとおりのものである。
　
　
（２）引用例
　原査定で引用された引用例及びその記載事項は、前記「２．（２）引用例」に、１）第１引用例として示したとおりである。
　　
（３）対比・判断
　本願発明は、上記「２．平成１６年４月１２日付けの手続補正についての補正却下の決定」で検討した本願補正発明から、「記録領域記録手段」が記録領域に対して「繰り返し上書き」する点、および「ＡＶファイル管理手段」が「繰り返し上書きを行なった前記記録領域上のデータ配置情報をＡＶファイル管理テーブルに記憶する」限定を削除したものに相当する。
　
　そうすると、本願発明の構成要件を含み、さらに他の構成要件を限定したものに相当する本願補正発明が、前記「２．（４）判断」に記載したとおり、前記第１引用例に記載された発明及び周知事項に基づいて当業者が容易に発明することができたものであるから、本願発明も、同様の理由により、第１引用例に記載された発明及び周知事項に基づいて当業者が容易に発明すをすることができたものである。
　　
　
（４）むすび
　以上のとおり、本願の請求項１に係る発明は、第１引用例に記載された発明及び周知事項に基づいて当業者が容易に発明することができたものであるから、特許法第２９条第２項の規定により特許を受けることができないものである。
　したがって、本願は、その余の請求項について論及するまでもなく、拒絶すべきものである。
　
　よって、結論のとおり審決する。